(57)【特許請求の範囲】
【請求項１】
かごに設置され、かごの行先階を指示するための行先ボタンと、
建物の各階に設けられる搬入出部のそれぞれに設置される呼びボタンであって、各呼びボタンが設置された搬入出部が設けられた階にかごを呼ぶための呼びボタンと、
前記各階の搬入出部のそれぞれに設置され、呼びボタンによって呼ばれた階への移動が予約されていることを示す呼予約灯と、
記憶手段と、
行先ボタンによって指示された行先階へかごを移動させている間に、各階の呼びボタンのうちのいずれか１つの呼びボタンが操作されると、その操作された呼びボタンが設置された搬入出部が設けられた階を表す呼び階情報を記憶手段に記憶させ、さらに行先ボタンによって指示された行先階にかごが到着したときに、記憶手段に呼び階情報が記憶されていると、記憶手段に記憶された呼び階情報が示す階へかごを移動させる制御手段とを含み、
前記制御手段は、
各階の呼びボタンのうちのいずれか１つの呼びボタンによって呼ばれた階へかごを移動させている間に、各階の呼びボタンのうちその呼ばれた階の呼びボタンを除くいずれか１つの呼びボタンが操作されると、その操作されたいずれか１つの呼びボタンが設置された搬入出部が設けられた階を表す呼び階情報を１つだけ記憶手段に記憶させ、さらに前記呼ばれた階へかごを移動させた後、その呼ばれた階で行先ボタンによって指示された行先階にかごが到着したときに、記憶手段に呼び階情報が記憶されていると、記憶手段に記憶された呼び階情報が示す階へかごを移動させ、
行先ボタンによって指示された行先階へかごを移動させている間に、呼びボタンが操作されると、または呼びボタンによって呼ばれた階へかごを移動させている間に、各階の呼びボタンのうちその呼ばれた階の呼びボタンを除くいずれか１つの呼びボタンが操作されると、すべての階の呼予約灯を点灯し、さらに前記記憶手段に記憶された呼び階情報が示す階へのかごの移動を開始すると、すべての階の呼予約灯を消灯することを特徴とするエレベータ運転操作装置。
【請求項２】
かごに設置され、かごの行先階を指示するための行先ボタンと、
建物の各階に設けられる搬入出部のそれぞれに設置される呼びボタンであって、各呼びボタンが設置された搬入出部が設けられた階にかごを呼ぶための呼びボタンと、
前記各階の搬入出部のそれぞれに設置され、呼びボタンによる呼びを受け付けたことを示す呼登録灯と、
記憶手段と、
行先ボタンによって指示された行先階へかごを移動させている間に、各階の呼びボタンのうちのいずれか１つの呼びボタンが操作されると、その操作された呼びボタンが設置された搬入出部が設けられた階を表す呼び階情報を記憶手段に記憶させ、さらに行先ボタンによって指示された行先階にかごが到着したときに、記憶手段に呼び階情報が記憶されていると、記憶手段に記憶された呼び階情報が示す階へかごを移動させる制御手段とを含み、
前記制御手段は、
各階の呼びボタンのうちのいずれか１つの呼びボタンによって呼ばれた階へかごを移動させている間に、各階の呼びボタンのうちその呼ばれた階の呼びボタンを除くいずれか１つの呼びボタンが操作されると、その操作されたいずれか１つの呼びボタンが設置された搬入出部が設けられた階を表す呼び階情報を１つだけ記憶手段に記憶させ、さらに前記呼ばれた階へかごを移動させた後、その呼ばれた階で行先ボタンによって指示された行先階にかごが到着したときに、記憶手段に呼び階情報が記憶されていると、記憶手段に記憶された呼び階情報が示す階へかごを移動させ、
行先ボタンによって指示された行先階へかごを移動させている間に、呼びボタンが操作されるとその操作された呼びボタンがある階の呼登録灯を点滅し、または呼びボタンによって呼ばれた階へかごを移動させている間に、各階の呼びボタンのうちその呼ばれた階の呼びボタンを除くいずれか１つの呼びボタンが操作されると、その操作されたいずれか１つの呼びボタンがある階の呼登録灯を点滅し、前記記憶手段に記憶された呼び階情報が示す階へのかごの移動を開始すると、その呼び階情報が示す階の呼登録灯を点灯し、さらに記憶手段に記憶された呼び階情報が示す階にかごが到着すると、その呼び階情報が示す階の呼登録灯を消灯することを特徴とするエレベータ運転操作装置。
【発明の詳細な説明】
【技術分野】
【０００１】
本発明は、エレベータの運転を操作するエレベータ運転操作装置に関する。
【背景技術】
【０００２】
荷物用エレベータは、特定の専任者によって使用されることを想定して、かご内の行先登録つまりかご内に設置された行先ボタンによって登録される行先登録が行われている状態では、乗場の呼登録つまり乗場に設置されている呼びボタンによって登録される呼登録を行うことができない操作方式であるシングルオートマチック操作方式を適用している。すなわち、このシングルオートマチック操作方式は、かご内の行先登録が行われなくなるまで、エレベータが専有される。
【０００３】
エレベータを優先して呼ぶための従来の技術として、エレベータＶＩＰ呼び予約装置がある。このエレベータＶＩＰ呼び予約装置は、操作者のいる場所に設置され、日時を指定してエレベータの予約を可能にする装置であり、指定された日時にエレベータを優先して配車する。さらに日時が指定された予約の実行直前に、予約内容を表示手段に表示する実行確認機能を備え、この実行確認機能によって、予約の変更、キャンセル、あるいは延期が可能である（たとえば特許文献１参照）。
【０００４】
【特許文献１】特開平３−１５２０６９号公報
【発明の開示】
【発明が解決しようとする課題】
【０００５】
しかしながら、上述した荷物用エレベータは、シングルオートマチック操作方式を適用しているので、かご内の行先登録が呼登録よりも優先される。３階以上の建物において、使用者がかご内の行先ボタンによって繰り返し運転操作すると、その運転操作が繰り返されている間、他の使用者は、乗場からエレベータを呼んで使用することができないという問題がある。他の使用者は、いつエレベータの運転が終了するかを知ることができず、無駄な待ち時間が発生する。
【０００６】
上述したエレベータを優先して呼ぶための従来の技術は、操作者のいる特定の場所に設置されたエレベータＶＩＰ呼び予約装置によって、日時を指定した予約を行なうものであり、各乗場にいる使用者は利用することができないという問題がある。
【０００７】
本発明の目的は、かご内に設置された行先ボタンによる指示よりも各乗場からの呼びを優先することができるエレベータ運転操作装置を提供することである。
【課題を解決するための手段】
【０００８】
本発明は、かごに設置され、かごの行先階を指示するための行先ボタンと、
建物の各階に設けられる搬入出部のそれぞれに設置される呼びボタンであって、各呼びボタンが設置された搬入出部が設けられた階にかごを呼ぶための呼びボタンと、
前記各階の搬入出部のそれぞれに設置され、呼びボタンによって呼ばれた階への移動が予約されていることを示す呼予約灯と、
記憶手段と、
行先ボタンによって指示された行先階へかごを移動させている間に、各階の呼びボタンのうちのいずれか１つの呼びボタンが操作されると、その操作された呼びボタンが設置された搬入出部が設けられた階を表す呼び階情報を記憶手段に記憶させ、さらに行先ボタンによって指示された行先階にかごが到着したときに、記憶手段に呼び階情報が記憶されていると、記憶手段に記憶された呼び階情報が示す階へかごを移動させる制御手段とを含み、
前記制御手段は、
各階の呼びボタンのうちのいずれか１つの呼びボタンによって呼ばれた階へかごを移動させている間に、各階の呼びボタンのうちその呼ばれた階の呼びボタンを除くいずれか１つの呼びボタンが操作されると、その操作されたいずれか１つの呼びボタンが設置された搬入出部が設けられた階を表す呼び階情報を１つだけ記憶手段に記憶させ、さらに前記呼ばれた階へかごを移動させた後、その呼ばれた階で行先ボタンによって指示された行先階にかごが到着したときに、記憶手段に呼び階情報が記憶されていると、記憶手段に記憶された呼び階情報が示す階へかごを移動させ、
行先ボタンによって指示された行先階へかごを移動させている間に、呼びボタンが操作されると、または呼びボタンによって呼ばれた階へかごを移動させている間に、各階の呼びボタンのうちその呼ばれた階の呼びボタンを除くいずれか１つの呼びボタンが操作されると、すべての階の呼予約灯を点灯し、さらに前記記憶手段に記憶された呼び階情報が示す階へのかごの移動を開始すると、すべての階の呼予約灯を消灯することを特徴とするエレベータ運転操作装置である。
【０００９】
本発明に従えば、かごに設置される行先ボタンによって、かごの行先階が指示され、建物の各階に設けられる搬入出部のそれぞれに設置される呼びボタンによって、各呼びボタンが設置された搬入出部が設けられた階にかごが呼ばれ、制御手段によって、行先ボタンによって指示された行先階へかごを移動させている間に、各階の呼びボタンのうちのいずれか１つの呼びボタンが操作されると、その操作された呼びボタンが設置された搬入出部が設けられた階を表す呼び階情報が記憶手段に記憶され、さらに行先ボタンによって指示された行先階にかごが到着したときに、記憶手段に呼び階情報が記憶されていると、記憶手段に記憶された呼び階情報が示す階へかごが移動される。
【００１０】
このように、かご内に設置された行先ボタンによって指示された行先階へかごを移動させている間に操作された呼びボタンがある階を表す呼び階情報を記憶し、行先階にかごが到着したときに、呼び階情報が記憶されていると、記憶された呼び階情報が示す階へかごを移動させるので、行先ボタンによって指示された行先階へかごが移動している間に操作された呼びボタンによるかごの使用を予約可能とし、かごが行先階に到着したとき予約があると、行先ボタンよりも優先して予約された呼びボタンに応答することができ、かご内に設置された行先ボタンによる指示よりも各乗場からの呼びを優先することができる。
【００１２】
また、各階の呼びボタンのうちのいずれか１つの呼びボタンによって呼ばれた階へかごを移動させている間に、各階の呼びボタンのうちその呼ばれた階の呼びボタンを除くいずれか１つの呼びボタンが操作されると、その操作されたいずれか１つの呼びボタンが設置された搬入出部が設けられた階を表す呼び階情報を１つだけ記憶し、前記呼ばれた階へかごを移動させた後、その呼ばれた階で行先ボタンによって指示された行先階にかごが到着したときに、呼び階情報が記憶されていると、記憶された呼び階情報が示す階へかごを移動させるので、最初の呼びボタンによって呼ばれた階へかごを移動している間に操作された他の呼びボタンによるかごの使用を予約可能とすることができる。
【００１４】
また、行先ボタンによって指示された行先階へかごを移動させている間に、呼びボタンが操作されると、または呼びボタンによって呼ばれた階へかごを移動させている間に、各階の呼びボタンのうちその呼ばれた階の呼びボタンを除くいずれか１つの呼びボタンが操作されると、すべての階の呼予約灯を点灯し、記憶手段に記憶された呼び階情報が示す階へのかごの移動を開始すると、すべての階の呼予約灯を消灯するので、呼びボタンによる予約がすべての階に表示される。
【００１５】
また本発明は、かごに設置され、かごの行先階を指示するための行先ボタンと、
建物の各階に設けられる搬入出部のそれぞれに設置される呼びボタンであって、各呼びボタンが設置された搬入出部が設けられた階にかごを呼ぶための呼びボタンと、
前記各階の搬入出部のそれぞれに設置され、呼びボタンによる呼びを受け付けたことを示す呼登録灯と、
記憶手段と、
行先ボタンによって指示された行先階へかごを移動させている間に、各階の呼びボタンのうちのいずれか１つの呼びボタンが操作されると、その操作された呼びボタンが設置された搬入出部が設けられた階を表す呼び階情報を記憶手段に記憶させ、さらに行先ボタンによって指示された行先階にかごが到着したときに、記憶手段に呼び階情報が記憶されていると、記憶手段に記憶された呼び階情報が示す階へかごを移動させる制御手段とを含み、
前記制御手段は、
各階の呼びボタンのうちのいずれか１つの呼びボタンによって呼ばれた階へかごを移動させている間に、各階の呼びボタンのうちその呼ばれた階の呼びボタンを除くいずれか１つの呼びボタンが操作されると、その操作されたいずれか１つの呼びボタンが設置された搬入出部が設けられた階を表す呼び階情報を１つだけ記憶手段に記憶させ、さらに前記呼ばれた階へかごを移動させた後、その呼ばれた階で行先ボタンによって指示された行先階にかごが到着したときに、記憶手段に呼び階情報が記憶されていると、記憶手段に記憶された呼び階情報が示す階へかごを移動させ、
行先ボタンによって指示された行先階へかごを移動させている間に、呼びボタンが操作されるとその操作された呼びボタンがある階の呼登録灯を点滅し、または呼びボタンによって呼ばれた階へかごを移動させている間に、各階の呼びボタンのうちその呼ばれた階の呼びボタンを除くいずれか１つの呼びボタンが操作されると、その操作されたいずれか１つの呼びボタンがある階の呼登録灯を点滅し、前記記憶手段に記憶された呼び階情報が示す階へのかごの移動を開始すると、その呼び階情報が示す階の呼登録灯を点灯し、さらに記憶手段に記憶された呼び階情報が示す階にかごが到着すると、その呼び階情報が示す階の呼登録灯を消灯することを特徴とするエレベータ運転操作装置である。
【００１６】
本発明に従えば、行先ボタンによって指示された行先階へかごを移動させている間に、呼びボタンが操作されるとその操作された呼びボタンがある階の呼登録灯を点滅し、または呼びボタンによって呼ばれた階へかごを移動させている間に、各階の呼びボタンのうちその呼ばれた階の呼びボタンを除くいずれか１つの呼びボタンが操作されると、その操作されたいずれか１つの呼びボタンがある階の呼登録灯を点滅し、記憶された呼び階情報が示す階へのかごの移動を開始すると、その呼び階情報が示す階の呼登録灯を点灯し、さらに記憶された呼び階情報が示す階にかごが到着すると、その呼び階情報が示す階の呼登録灯を消灯するので、呼びボタンによる予約が行なわれると、予約が行なわれた階の呼登録灯を点滅させ、予約が行なわれた階へのかごの移動が開始すると、その階の呼登録灯を点灯させ、さらに予約が行なわれた階にかごが到着すると、到着した階の呼登録灯を消灯させることができる。
【発明の効果】
【００１７】
本発明によれば、行先ボタンによって指示された行先階へかごが移動している間に操作された呼びボタンによるかごの使用を予約可能とし、かごが行先階に到着したとき予約があると、行先ボタンよりも優先して予約された呼びボタンに応答することができ、かご内に設置された行先ボタンによる指示よりも各乗場からの呼びを優先することができるので、エレベータの使用者は、３階以上の建物において、他の使用者が行先ボタンによって繰り返す運転を、呼びボタンを操作することによって中断させて、かごを使用することができる。他の使用者によるエレベータの繰り返し運転が完了するまで待つ必要がなく、無駄な待ち時間を軽減することができる。
【００１８】
また、最初の呼びボタンによって呼ばれた階へかごを移動している間に操作された他の呼びボタンによるかごの使用を予約可能とすることができるので、行先階への移動中だけでなく、呼びボタンによる移動中の呼びボタン操作に対しても、かご内に設置された行先ボタンによる指示よりも各乗場からの呼びを優先することができる。
【００１９】
また、呼びボタンによる予約がすべての階に表示されるので、いずれの乗場にいる使用者も、呼びボタンによる予約が行なわれたことを知ることができる。
【００２０】
また本発明によれば、呼びボタンによる予約が行なわれると、予約が行なわれた階の呼登録灯を点滅させ、予約が行なわれた階へのかごの移動が開始すると、その階の呼登録灯を点灯させ、さらに予約が行なわれた階にかごが到着すると、到着した階の呼登録灯を消灯させることができるので、使用者は、呼びボタンによる予約が行なわれたこと、予約によるかごの移動が開始したことを知ることができ、利用者の利便性を向上することができる。
【発明を実施するための最良の形態】
【００２１】
図１は、本発明の実施の一形態であるエレベータ運転操作装置１の構成を示す。エレベータ運転操作装置１は、たとえば荷物用エレベータなどのエレベータの運転を操作する装置であり、制御部１０、かご操作盤２０、および複数の乗場操作盤３０を含む。
【００２２】
制御部１０は、ＣＰＵ（Central Processing Unit）１１およびメモリ１２を含む。ＣＰＵ１１は、メモリ１２に記憶されるプログラムを実行して、図示しない荷物用エレベータのかごの運転を制御する。メモリ１２は、たとえば半導体メモリなどの記憶装置によって構成され、ＣＰＵ１１によって実行されるプログラム、およびＣＰＵ１１によって書き込みおよび読み出しが行われる情報、たとえば、かごの運転を制御するための情報を記憶する。かご操作盤２０は、かごに設置される操作盤であり、乗場操作盤３０は、建物の各階に設けられる搬入出部にそれぞれ１つ設置される操作盤である。
【００２３】
図２は、図１に示したかご操作盤２０の外観を示す。かご操作盤２０は、かごに設置される操作盤であり、複数の行先ボタン２１および複数の行先灯２２を含む。
【００２４】
行先ボタン２１は、かごの行先階つまり目的階を指示するためのボタンである。各行先ボタン２１は、たとえば押しボタンによるスイッチによって構成され、行先ボタン２１は、かごを停止させることができる階の数のボタンからなる。行先ボタン２１が操作されると、操作された行先ボタン２１に対応する行先階を示す信号が、制御部１０へ送られる。１つの行先ボタン２１が操作されると、その行先ボタン２１によって指示された行先階へかごが移動するまで、他の行先ボタン２１の操作は受け付けられない。
【００２５】
各行先灯２２は、たとえば表示ランプによって構成され、行先灯２２は、行先ボタン２１に対応する数の表示ランプからなる。行先灯２２は、制御部１０からの指示によって、点灯あるいは消灯する。行先灯２２は、行先ボタン２１によって指示された行先階に対応する行先灯２２が点灯し、かごが行先階に到着すると到着した階の行先灯２２は消灯する。図２に示した行先ボタン２１のスイッチと行先灯２２の表示ランプとは、独立したものを用いたが、スイッチおよび表示ランプが一体化されたものを用いてもよい。
【００２６】
図３は、図１に示した乗場操作盤３０の外観を示す。乗場操作盤３０は、建物の各階に設けられる搬入出部にそれぞれ１つ設置される操作盤であり、各乗場操作盤３０は、呼びボタン３１、呼登録灯３２、使用中灯３３、および呼予約灯３４を含む。
【００２７】
呼びボタン３１は、たとえば押しボタンによるスイッチによって構成され、その呼びボタン３１を含む乗場操作盤３０が設置された搬入出部が設けられた階に、かごを呼ぶためのボタンである。呼びボタン３１が操作されると、操作された呼びボタン３１からの信号が、制御部１０へ送られる。行先ボタン２１によるかごの移動が行われていないときに、呼びボタン３１が操作されると、直ちに呼びボタン３１の階へかごが移動するが、行先ボタン２１によって指示された行先階へのかごの移動が行われている間に、呼びボタン３１が操作されると、行先階に移動した後に、操作された呼びボタン３１によって呼ばれた階へかごが移動する。さらに呼びボタン３１によって呼ばれた階へのかごの移動が行われている間に、他の呼びボタン３１が操作されると、最初の呼びボタン３１によって呼ばれた階で行先ボタン２１によって指示された行先階に移動した後に、他の呼びボタン３１によって呼ばれた階へかごが移動する。
【００２８】
呼登録灯３２は、制御部１０の指示によって、点灯、点滅、または消灯する。呼登録灯３２の点灯は、呼登録灯３２が点灯している階へかごが移動していることを示し、呼登録灯３２の点滅は、呼登録灯３２が点滅している階への呼びの予約つまり呼予約が行なわれたことを示す。呼登録灯３２は、その呼登録灯３２が含まれる乗場操作盤３０の呼びボタン３１が、行先ボタン２１によって指示された行先階へのかごの移動が行われておらず、かつ他の呼びボタン３１によって呼ばれた階への移動が行われていないときに、操作されたことによって点灯する。さらに、呼登録灯３２は、その呼登録灯３２が含まれる乗場操作盤３０の呼びボタン３１が、行先ボタン２１によって指示された行先階へかごが移動している間に、または他の呼びボタン３１によって呼ばれた階へかごが移動している間に操作されると点滅し、呼登録灯３２が点滅している階へのかごの移動が開始すると、点滅から点灯に変化する。呼登録灯３２は、その呼登録灯３２が点灯している階にかごが到着すると消灯する。
【００２９】
使用中灯３３は、制御部１０の指示によって、すべての階の使用中灯３３が同時に点灯または消灯する。使用中灯３３の点灯は、かごが使用中であることを示す。使用中灯３３は、呼びボタン３１が操作されると点灯し、行先ボタン２１が操作されずに戸が閉じると消灯する。
【００３０】
呼予約灯３４は、制御部１０の指示によって、すべての階の呼予約灯３４が同時に点灯または消灯する。呼予約灯３４の点灯は、いずれかの階への呼びの予約が行なわれていることを示す。呼予約灯３４は、行先ボタン２１によって指示された行先階へかごが移動している間に呼びボタン３１が操作されると、または呼びボタン３１によって呼ばれた階へかごが移動している間に他の呼びボタン３１が操作されると点灯し、呼登録灯３２が点滅している階へのかごの移動が開始すると消灯する。
【００３１】
図２に示した行先ボタン２１および行先灯２２、ならびに図３に示した呼びボタン３１、呼登録灯３２、使用中灯３３、および呼予約灯３４は、押しボタンあるいは表示ランプによって構成したが、これらに限定されるものではなく、たとえばタッチパネルなどを用いて構成してもよい。
【００３２】
図１を参照して、制御部１０は、行先ボタン２１によって指示された行先階へかごを移動させている間に、呼びボタン３１が操作されたことを示す信号を受け取ると呼予約を行う。呼予約は、呼びボタン３１によって呼ばれた階を表す呼び階情報をメモリ１２に登録つまり記憶することによって行う。さらにいずれかの呼びボタンによって呼ばれた階へかごを移動させている間に他の呼びボタン３１が操作されたことを示す信号を受け取った場合も同様に呼予約を行う。この場合、他の呼びボタン３１のある階を表す呼び階情報をメモリ１２に記憶する。
【００３３】
制御部１０は、行先階にかごが到着したときに、メモリ１２に呼び階情報が記憶されていると、メモリ１２に記憶された呼び階情報が示す階へかごを移動させた後、メモリ１２に記憶された呼び階情報を消去し、その階で行先ボタン２１による指示があると、指示された行先階へかごを移動する。その階で行先ボタン２１による指示がないと、戸を閉じて、呼びボタン３１による新たな呼びがあるまでかごを待機させる。さらに、制御部１０は、行先階にかごが到着したときに、メモリ１２に呼び階情報が記憶されていないと、行先ボタン２１による新たな指示あるいは呼びボタン３１による新たな呼びがあるまでかごを待機させる。
【００３４】
図４は、図１に示した制御部１０が処理するフローチャートである。このフローチャートは、エレベータ運転操作装置１の呼予約機能による処理を示す。エレベータ運転操作装置１の電源が投入され、動作可能状態になると、ステップＳ１へ移る。
【００３５】
ステップＳ１では、呼びボタンＡの入力があるか否かを判断する。すなわち各階の呼びボタン３１のうちのいずれか１つの呼びボタン３１が操作されたか否かを、各呼びボタン３１からの信号によって判断する。ここに、呼びボタンＡは、各階の呼びボタン３１のうちのいずれかの１つの呼びボタンのことである。呼びボタンＡが操作されると、ステップＳ２へ進み、いずれの呼びボタン３１も操作されないと、ステップＳ１へ戻る。
【００３６】
ステップＳ２では、かごの位置と呼階の位置とが同じか否かを判断する。すなわちステップＳ１で呼びボタンＡが操作されたときのかごの位置と呼びボタンＡを含む乗場操作盤３０のある階の位置とが同じか否かを判断する。かごの位置と呼階の位置とが同じであると、ステップＳ３へ進み、かごの位置と呼階の位置とが同じでないと、呼びボタンＡによって呼ばれた階へかごを移動するために、ステップＳ１９へ進む。
【００３７】
ステップＳ３では、一定時間戸を開き、使用中灯３３を点灯する。すなわちかごの戸を開くとともに、戸を一定時間開くように制御し、さらにすべての階の使用中灯３３を点灯する。戸は、かごに設置される戸と、各階の搬入出部に設置される戸とがあり、戸の開閉は、かごが停止している階の搬入出部の戸とかごの戸とが連動して開閉する。ステップＳ４では、行先ボタン２１の入力があるか否かを判断する。すなわちかご内の行先ボタン２１が操作されたか否かを、行先ボタン２１からの信号によって判断する。行先ボタン２１が操作されると、ステップＳ５へ進み、行先ボタン２１が操作されないと、ステップＳ１２へ進む。ステップＳ５では、行先灯２２を点灯し、エレベータを運転する。すなわち行先ボタン２１によって指示された行先階に対応する行先灯２２を点灯し、かごの戸を閉じて、かごを行先ボタン２１によって指示された行先階へ移動する。
【００３８】
ステップＳ６では、呼びボタンＢの入力があるか否かを判断する。すなわち呼びボタンＡを除く呼びボタン３１のうちのいずれか１つの呼びボタン３１が操作されたか否かを、各呼びボタン３１からの信号によって判断する。ここに、呼びボタンＢは、各階の呼びボタン３１のうち呼びボタンＡを除くいずれかの１つの呼びボタンのことである。呼びボタンＢが操作されると、ステップＳ７へ進み、いずれの呼びボタン３１も操作されないと、ステップＳ８へ進む。ステップＳ７では、呼予約灯３４を点灯し、呼登録灯Ｂを点滅する。すなわちすべての階の呼予約灯３４を点灯し、呼登録灯ＢつまりステップＳ６で操作された呼びボタンＢを含む乗場操作盤３０の呼登録灯３２を点滅する。このとき、呼びボタンＢを含む乗場操作盤３０の階を表す呼び階情報をメモリ１２に記憶することによって、呼予約を行なう。
【００３９】
ステップＳ８では、目的階に到着したか否かを判断する。すなわちかごがステップＳ４で行先ボタン２１によって指示された行先階つまり目的階に到着したか否かを判断する。目的階に到着すると、ステップＳ９へ進み、目的階に到着しないと、ステップＳ６へ戻る。ステップＳ９では、行先灯２２を消灯し、一定時間戸を開く。すなわちステップＳ５で点灯した行先灯２２を消灯し、かごの戸を開くとともに、戸を一定時間開くように制御する。
【００４０】
ステップＳ１０では、呼予約があるか否かを判断する。呼予約があるか否かは、メモリ１２に呼び階情報が記憶されているか否かによって判断する。呼予約があると、ステップＳ１１へ進み、呼予約がないと、ステップＳ４へ戻る。ステップＳ１１では、戸が開いているか否かを判断する。戸が開いていないと、つまり戸が閉まると、ステップＳ１４へ進み、戸が開いていると、ステップＳ１１へ戻り、戸が閉まることを監視する。
【００４１】
ステップＳ１２では、戸が開いているか否かを判断する。戸が開いていないと、つまり戸が閉まると、ステップＳ１３へ進み、戸が開いていると、ステップＳ４へ戻り、行先ボタン２１の操作または戸が閉まることを監視する。ステップＳ１３では、呼予約があるか否かを判断する。呼予約があるか否かは、メモリ１２に呼び階情報が記憶されているか否かによって判断する。呼予約があると、ステップＳ１４へ進み、呼予約がないと、ステップＳ１８へ進む。ステップＳ１４では、呼予約灯３４を消灯し、呼登録灯Ｂを点灯し、エレベータを運転する。すなわちすべての階の呼予約灯３４を消灯し、点滅していた呼登録灯Ｂを点灯し、かごを呼びボタンＢによって呼ばれた階へ移動する。このとき、メモリ１２に記憶した呼び階情報を消去する。
【００４２】
ステップＳ１５では、目的階に到着したか否かを判断する。すなわちかごが呼びボタンＢによって呼ばれた階つまり目的階に到着したか否かを判断する。目的階に到着すると、ステップＳ１６へ進み、目的階に到着しないと、ステップＳ１４へ戻る。ステップＳ１６では、呼登録灯Ｂを消灯し、一定時間戸を開く。すなわちステップＳ１４で点灯した呼登録灯Ｂを消灯し、かごの戸を開くとともに、戸を一定時間開くように制御する。
【００４３】
ステップＳ１７では、戸が開いているか否かを判断する。戸が開いていないと、つまり戸が閉まると、ステップＳ１８へ進み、戸が開いていると、ステップＳ４へ進む。ステップＳ１８では、使用中灯３３を消灯し、ステップＳ１へ戻る。使用中灯３３は、すべての階の使用中灯３３が消灯される。
【００４４】
ステップＳ１９では、使用中灯３３を点灯し、呼登録灯Ａを点灯し、エレベータを運転する。すなわちすべての階の使用中灯３３を点灯し、呼登録灯ＡつまりステップＳ１で操作された呼びボタンＡを含む乗場操作盤３０の呼登録灯３２を点灯し、さらにかごを呼びボタンＡによって呼ばれた階へ移動する。
【００４５】
ステップＳ２０では、呼びボタンＢの入力があるか否かを判断する。すなわち呼びボタンＡを除く呼びボタン３１のうちのいずれか１つの呼びボタン３１が操作されたか否かを、各呼びボタン３１からの信号によって判断する。ここに、呼びボタンＢは、各階の呼びボタン３１のうち呼びボタンＡを除くいずれかの１つの呼びボタンのことである。呼びボタンＢが操作されると、ステップＳ２１へ進み、いずれの呼びボタン３１も操作されないと、ステップＳ２２へ進む。ステップＳ２１では、呼予約灯３４を点灯し、呼登録灯Ｂを点滅する。すなわちすべての階の呼予約灯３４を点灯し、呼登録灯ＢつまりステップＳ２０で操作された呼びボタンＢを含む乗場操作盤３０の呼登録灯３２を点滅する。このとき、呼びボタンＢを含む乗場操作盤３０の階を表す呼び階情報をメモリ１２に記憶することによって、呼予約を行なう。
【００４６】
ステップＳ２２では、目的階に到着したか否かを判断する。すなわちかごがステップＳ１で呼びボタンＡによって呼ばれた階つまり目的階に到着したか否かを判断する。目的階に到着すると、ステップＳ２３へ進み、目的階に到着しないと、ステップＳ１９へ戻る。ステップＳ２３では、呼登録灯Ａを消灯し、一定時間戸を開く。すなわちステップＳ１９で点灯した呼登録灯Ａを消灯し、かごの戸を開くとともに、戸を一定時間開くように制御して、ステップＳ１７へ進む。
【００４７】
上述した実施の形態では、１種類の呼びボタン２１を用いたが、従来用いられている行先ボタンを優先する呼びボタンのほかに、行先ボタンよりも優先する呼びボタンを新たに設けてもよい。
【００４８】
このように、かご内に設置された行先ボタン２１によって指示された行先階へかごを移動させている間に操作された呼びボタン３１がある階を表す呼び階情報を記憶し、行先階にかごが到着したときに、呼び階情報が記憶されていると、記憶された呼び階情報が示す階へかごを移動させるので、行先ボタン２１によって指示された行先階へかごが移動している間に操作された呼びボタン３１によるかごの使用を予約可能とし、かごが行先階に到着したとき予約があると、行先ボタン２１よりも優先して予約された呼びボタン３１に応答することができ、かご内に設置された行先ボタン２１による指示よりも各乗場からの呼びを優先することができる。したがって、エレベータの使用者は、３階以上の建物において、他の使用者が行先ボタン２１によって繰り返す運転を、呼びボタン３１を操作することによって中断させて、かごを使用することができる。他の使用者によるエレベータの繰り返し運転が完了するまで待つ必要がなく、無駄な待ち時間を軽減することができる。
【００４９】
さらに、各階の呼びボタン３１のうちのいずれか１つの呼びボタン３１によって呼ばれた階へかごを移動させている間に、各階の呼びボタンのうちその呼ばれた階の呼びボタンを除くいずれか１つの呼びボタンつまり他の呼びボタン３１が操作されると、操作された他の呼びボタン３１がある階を表す呼び階情報を記憶し、最初の呼びボタン３１によって呼ばれた階へかごを移動させた後、その呼ばれた階で行先ボタン２１によって指示された行先階にかごが到着したときに、呼び階情報が記憶されていると、記憶された呼び階情報が示す階へかごを移動させるので、最初の呼びボタン３１によって呼ばれた階へかごを移動している間に操作された他の呼びボタン３１によるかごの使用を予約可能とすることができる。したがって、行先階への移動中だけでなく、呼びボタン３１による移動中の呼びボタン操作に対しても、かご内に設置された行先ボタン２１による指示よりも各乗場からの呼びを優先することができる。
【００５０】
さらにまた、行先ボタン２１によって指示された行先階へかごを移動させている間に、呼びボタン３１が操作されると、または呼びボタン３１によって呼ばれた階へかごを移動させている間に、各階の呼びボタンのうちその呼ばれた階の呼びボタンを除くいずれか１つの呼びボタンつまり他の呼びボタン３１が操作されると、すべての階の呼予約灯３４を点灯し、さらに記憶手段たとえばメモリ１２に記憶された呼び階情報が示す階へのかごの移動を開始すると、すべての階の呼予約灯３４を消灯するので、呼びボタン３１による予約がすべての階に表示される。したがって、いずれの乗場にいる使用者も、呼びボタン３１による予約が行なわれたことを知ることができる。
【００５１】
さらに、行先ボタン２１によって指示された行先階へかごを移動させている間に、呼びボタン３１が操作されるとその操作された呼びボタン３１がある階の呼登録灯３２を点滅し、または呼びボタン３１によって呼ばれた階へかごを移動させている間に、各階の呼びボタンのうちその呼ばれた階の呼びボタンを除くいずれか１つの呼びボタンつまり他の呼びボタン３１が操作されると、他の呼びボタン３１がある階の呼登録灯３２を点滅し、記憶された呼び階情報が示す階へのかごの移動を開始すると、その呼び階情報が示す階の呼登録灯３２を点灯し、さらに記憶された呼び階情報が示す階にかごが到着すると、その呼び階情報が示す階の呼登録灯３２を消灯するので、呼びボタン３１による予約が行なわれると、予約が行なわれた階の呼登録灯３２を点滅させ、予約が行なわれた階へのかごの移動が開始すると、その階の呼登録灯３２を点灯させ、さらに予約が行なわれた階にかごが到着すると、到着した階の呼登録灯３２を消灯させることができる。したがって、使用者は、呼びボタン３１による予約が行なわれたこと、予約によるかごの移動が開始したことを知ることができ、利用者の利便性を向上することができる。
【図面の簡単な説明】
【００５２】
【図１】本発明の実施の一形態であるエレベータ運転操作装置１の構成を示す。
【図２】図１に示したかご操作盤２０の外観を示す。
【図３】図１に示した乗場操作盤３０の外観を示す。
【図４】図１に示した制御部１０が処理するフローチャートである。
【符号の説明】
【００５３】
１  エレベータ運転操作装置
１０  制御部
１１  ＣＰＵ
１２  メモリ
２０  かご操作盤
２１  行先ボタン
２２  行先灯
３０  乗場操作盤
３１  呼びボタン
３２  呼登録灯
３３  使用中灯
３４  呼予約灯
【図１】
0005436755.tif 000002
【図２】
0005436755.tif 000003
【図３】
0005436755.tif 000004
【図４】
0005436755.tif 000005